(57)【特許請求の範囲】
【請求項１】
本体上面に載置される被加熱物を加熱するための加熱部と、複数の制御モードを有し前記加熱部を制御する制御部と、動作開始部と、加熱出力設定部と、制御モード選択手段とを有し、制御命令を入力するための操作部と、前記制御部の選択された制御モードを表示する表示部とを備え、前記制御モードは前記加熱出力設定部によって設定された加熱出力で加熱する加熱モードと、所定の温度で油温を制御する揚げ物モードと、加熱モードへ移行可能な予熱モードとを備え、
前記予熱モードが選択されると、前記制御部は、前記加熱出力設定部による火力変更を禁止して、予め決められた加熱出力で前記被加熱物を加熱する第１予熱工程を行い、前記第１予熱工程終了後は保温加熱を行うとともに前記加熱出力設定部による火力設定を可能とした第２予熱工程に移行し、
前記揚げ物モードが選択されると、前記制御部は、予め決められた加熱出力で前記被加熱物を加熱し、その後所定温度に保温する揚げ物モードの予熱を行い、
前記予熱モードまたは前記揚げ物モードのいずれか１つが選択され、動作開始部によって加熱が開始された場合に、前記表示部に設けられた一つの予熱表示部を兼用してその旨を表示させるものとし、
加熱モード中であることを表示する加熱モード表示部と、揚げ物モード中であることを表示する揚げ物モード表示部とをさらに備え、前記予熱モード表示部を前記加熱モード表示部および前記揚げ物モード表示部に隣接して配置したことを特徴とした加熱調理器。
【請求項２】
加熱モード表示部と揚げ物モード表示部を隣接して配置したことを特徴とする請求項１に記載の加熱調理器。
【請求項３】
第１予熱工程中においては予熱表示部を点滅させ、第２予熱工程中においては前記予熱表示部を点灯させることを特徴とした請求項１または２に記載の加熱調理器。
【発明の詳細な説明】
【技術分野】
【０００１】
本発明は予熱機能を有する加熱調理器に関するものである。
【背景技術】
【０００２】
従来、この種の加熱調理器は、温度調節が必要な調理において、設定温度を使用者に示すデジタル表示部と、被加熱物が現在予熱工程中であることを示す予熱表示部を備えたものが知られている（例えば、特許文献１参照）。
【０００３】
図７は、特許文献１に記載された加熱調理器における表示部を示すものである。図において、表示部２１は、設定された温度を示すデジタル表示部１８、同じく設定されたメニューを表示するメニュー表示部１９、予熱中であることを示す予熱表示部２０で構成されている。
【０００４】
以下、その動作について説明する。従来の加熱調理器は、温度設定が必要な調理において、入力手段（図示せず）によってメニューを設定し、調理を開始する。調理が開始されると、デジタル表示部１８と、メニュー表示部１９と、予熱表示部２０とが点灯し、被加熱物の温度と設定された設定温度を比較し、被加熱物の温度が設定温度に達するまで予熱表示部２０が点滅する。被加熱物の温度が設定温度に達すると、予熱表示部２０は消灯する。
【特許文献１】特開平１０−６９９７１号公報
【発明の開示】
【発明が解決しようとする課題】
【０００５】
しかしながら、前記従来の構成では、揚げ物などの温度設定が必要な調理において、使用者に現在の設定温度や予熱工程中であるかどうかを表示するものであり、炒め物等の強火が必要な調理においては、使用者が手動で火力を調節しながらフライパン等の被加熱物を加熱するため、被加熱物が炒め物等に適した温度が分からず、被加熱物の温度が上昇しないうちに食材を投入してしまって出来栄えが悪くなったり、被加熱物の温度が上がり過ぎて食材を焦がしてしまったりという課題を有していた。
【０００６】
本発明は従来の問題点を解決するものであり、炒め物等の強火が必要な調理において、被加熱物を調理に適した温度に高火力で素早く加熱し、所定の温度に達すると、保温加熱を行うとともに、手動での火力設定に移行可能とする予熱モードと、予熱モード中であることを使用者に知らせる予熱表示部とを設けることにより、使用者は炒め物等の高火力が要求される調理においても、最適な食材投入タイミングを知ることができ、使い勝手のよい加熱調理器を提供することができる。
【課題を解決するための手段】
【０００７】
前記従来の課題を解決するために、本発明の加熱調理器は、本体上面に載置される被加熱物を加熱するための加熱部と、複数の制御モードを有し前記加熱部を制御する制御部と、動作開始部と、加熱出力設定部と、制御モード選択手段とを有し、制御命令を入力するための操作部と、前記制御部の選択された制御モードを表示する表示部とを備え、前記制御モードは前記加熱出力設定部によって設定された加熱出力で加熱する加熱モードと、所定の温度で油温を制御する揚げ物モードと、加熱モードへ移行可能な予熱モードとを備え、前記予熱モードが選択されると、前記制御部は、前記加熱出力設定部による火力変更を禁止して、予め決められた加熱出力で前記被加熱物を加熱する第１予熱工程を行い、前記第１予熱工程終了後は保温加熱を行うとともに前記加熱出力設定部による火力設定を可能とした第２予熱工程に移行し、前記揚げ物モードが選択されると、前記制御部は、予め決められた加熱出力で前記被加熱物を加熱し、その後所定温度に保温する揚げ物モードの予熱を行い、前記予熱モードまたは前記揚げ物モードのいずれか１つが選択され、動作開始部によって加熱が開始された場合に、前記表示部に設けられた一つの予熱表示部を兼用してその旨を表示させるものとし、加熱モード中であることを表示する加熱モード表示部と、揚げ物モード中であることを表示する揚げ物モード表示部とをさらに備え、前記予熱モード表示部を前記加熱モード表示部および前記揚げ物モード表示部に隣接して配置することを特徴としたものである。
【０００８】
予熱モードを有し、予熱が完了すると予熱表示部が予熱完了の旨を表示し、使用者は最適な食材投入タイミングを知ることができるとともに、予熱モード中の第１予熱工程では加熱出力設定手段による加熱出力変更を禁止し、予め決められた加熱工程で素早くかつ精度良く温度を立ち上げることができ、温度上昇した後は、保温し加熱出力の設定ができる第２予熱工程に移行するため、例えば、高火力が必要な炒め物調理の場合において、使い勝手のよい加熱調理器を提供することができる。また、予熱表示部が、揚げ物モード中の予熱表示と、予熱モード中における予熱表示とを兼用することによって、省スペース化が図れる。
【発明の効果】
【０００９】
本発明の加熱調理器は、高火力が必要な炒め物調理の場合において、使用者の使い勝手を高めることができる。予熱モードまたは揚げ物モードのいずれのモードが選択された場合においても、同一の予熱表示部がその旨を表示するため、表示部の省スペース化を図ることができ、例えば表示部を大きくして使い勝手を向上させることができる。
【発明を実施するための最良の形態】
【００１０】
第１の発明は、本体上面に載置される被加熱物を加熱するための加熱部と、複数の制御モードを有し前記加熱部を制御する制御部と、動作開始部と、加熱出力設定部と、制御モード選択手段とを有し、制御命令を入力するための操作部と、前記制御部の選択された制御モードを表示する表示部とを備え、前記制御モードは前記加熱出力設定部によって設定された加熱出力で加熱する加熱モードと、所定の温度で油温を制御する揚げ物モードと、加熱モードへ移行可能な予熱モードとを備え、前記予熱モードが選択されると、前記制御部は、前記加熱出力設定部による火力変更を禁止して、予め決められた加熱出力で前記被加熱物を加熱する第１予熱工程を行い、前記第１予熱工程終了後は保温加熱を行うとともに前記加熱出力設定部による火力設定を可能とした第２予熱工程に移行し、前記揚げ物モードが選択されると、前記制御部は、予め決められた加熱出力で前記被加熱物を加熱し、その後所定温度に保温する揚げ物モードの予熱を行い、前記予熱モードまたは前記揚げ物モードのいずれか１つが選択され、動作開始部によって加熱が開始された場合に、前記表示部に設けられた一つの予熱表示部を兼用してその旨を表示させるものとし、加熱モード中であることを表示する加熱モード表示部と、揚げ物モード中であることを表示する揚げ物モード表示部とをさらに備え、前記予熱モード表示部を前記加熱モード表示部および前記揚げ物モード表示部に隣接して配置したことにより、予熱モードを有し、予熱が完了すると予熱表示部が予熱完了の旨を表示し、使用者は最適な食材投入タイミングを知ることができるとともに、予熱モード中の第１予熱工程では加熱出力設定手段による加熱出力変更を禁止し、予め決められた加熱工程で素早く温度を立ち上げることができ、温度上昇した後は、保温し加熱出力の設定ができる第２予熱工程に移行できるので、高火力が必要な炒め物調理の場合において、使用者の使い勝手を高めることができる。また、予熱表示部が、揚げ物モード中の予熱表示と、予熱モード中における予熱表示とを兼用することによって、省スペース化が図れる。
【００１１】
また、予熱モード表示部を加熱モード中であることを表示する加熱モード表示部および揚げ物モード表示部に隣接して配置することにより、制御モードが予熱モードと揚げ物モードのいずれのモードにあっても、予熱表示部が当該モード表示部に近接しているので、使用者に予熱モード表示部と加熱モード表示部、または予熱モード表示部と揚げ物モード表示部同士の関連性をより分かりやすく認識させることができる。
【００１２】
第２の発明は、加熱モード表示部と揚げ物モード表示部を隣接して配置し、それらに予熱表示部を隣接して配置することにより、制御モードが予熱モードと揚げ物モードのいずれのモードにあっても、予熱表示部が当該モード表示部に近接しているので、使用者に予熱モード表示部と加熱モード表示部、または予熱モード表示部と揚げ物モード表示部、同士の関連性をより分かりやすく認識させることができる。
【００１３】
第３の発明は、第１予熱工程中においては予熱表示部を点滅させ、第２予熱工程中においては予熱表示部を点灯させることにより、被加熱物が予熱中であること、及び予熱後の保温中に移行していることを使用者により分かりやすく認識させることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における加熱調理器として誘導加熱調理器の斜視図を示すものである。
【００１６】
図１において、誘導加熱調理器は、本体１７の上面に設けられたトッププレート１１ａに載置される被加熱物Ｐを誘導加熱するための加熱コイルを含むインバータを有する加熱部１１と、被加熱物Ｐの底面温度を検出する温度検出部１６と、複数の制御モードを有し加熱部１１の加熱出力を制御する制御部１２と、制御命令を入力するための天面操作部１３ａおよび前面操作部１３ｂと、制御部の選択された制御モードを表示する天面表示部１４ａおよび前面表示部１４ｂと、本体を起動させる電源スイッチ１５を有している。
【００１７】
図２は、本発明の第１の実施の形態における誘導加熱調理器の天面操作部１３ａと天面表示部１４ａの概略図であり、天面操作部１３ａは被加熱物Ｐの制御モードを選択する制御モード選択部１と、制御部１２を動作させ、加熱部１１を制御し、被加熱物Ｐを加熱を開始させるための動作開始部４と、被加熱物Ｐに与える火力を手動で調節するための加熱出力設定部６と、被加熱物Ｐの加熱時間を設定するためのタイマーキー７を備えている。図示していないが、天面操作部１３ａは、静電式タッチキーで構成され、それぞれの操作部（操作キー）を構成する電極の下方に光源を配して、操作可能な操作部のみ表示されるようになっており、光源が点灯しない操作部、すなわち使用できない操作部は見え難くなるので操作が簡単である。
【００１８】
使用者は制御モード選択部１を押すことにより、複数の制御モードの中からひとつの制御モードを選択することができる。本実施の形態においては、制御モードとして、被加熱物Ｐに加える火力を手動で設定できる加熱モードと、加熱出力設定部５による火力変更を禁止して、予め決められた加熱出力で被加熱物Ｐを加熱する第１予熱工程を行い、第１予熱工程終了後は保温加熱を行うとともに加熱出力設定部５による火力設定を可能とした第２予熱工程に移行する予熱モードと、揚げ物油を所定の温度で制御する揚げ物モードと、被加熱物Ｐ内の水が沸騰した際に使用者にその旨を知らせる湯沸しモードと、自動で炊飯を行う炊飯モードとを有している。制御モード選択部１により制御モードを選択した後、動作開始部４を押すことにより選択された制御モードでの動作が開始されるように、制御部１２は制御する。
【００１９】
また、天面表示部１４ａは、被加熱物Ｐの制御モードを表示するために、加熱モード表示部２ａと、揚げ物モード表示部２ｂと、湯沸しモード表示部２ｃと、炊飯モード表示部２ｄと、予熱表示部３を有するメニュー表示部２と、加熱出力設定部６の操作に応じて使用者に現在設定している火力を表示させる加熱出力表示部５と、タイマーキー７でタイマーを設定した際にデジタル表示部１０と連動して、使用者に加熱残り時間を知らせる残時間表示部８と、炊飯モード選択時にデジタル表示部１０と連動して使用者が設定した食材のカップ数を表示するカップ数表示部９とを備えている。
【００２０】
なお、前面操作部１３ｂと前面表示部１４ｂは、上記天面操作部１３ａと天面表示部１４ｂで制御される加熱部以外の加熱部、例えば、天板後方の加熱部、又はロースタの動作
を制御するためのものである。
【００２１】
図３は本発明の第１の実施の形態における誘導加熱調理器の回路構成を示すブロック図であり、電源スイッチ１５がオフからオン状態になると、制御部１２が制御モード選択部のみが点灯表示される待機モードとなる。待機モード中に、使用者が天面操作部１３ａを操作することによって、制御部１２に制御信号が発せられ、制御部は加熱部に高周波電流を流し、被加熱物Ｐを誘導加熱する。このとき、天面表示部１４ａおよび前面表示部１４ｂには制御部１２の制御モードに応じた情報が表示され、使用者にその旨を伝える。温度検出部１６は被加熱物Ｐの温度を検出し、制御部１２に温度情報を伝達し、制御部は温度検出部１６から送られた温度情報に応じて加熱部１１流す電流値を変化させる。
【００２２】
以上のように構成された加熱調理器について、以下その動作、作用を説明する。
【００２３】
図４は本発明の第１の実施の形態におけるフローチャートを示す図である。１００で使用者は電源スイッチをオンにすると制御部は１０１で待機モードに進み、制御モード選択部を受け付け可能な状態になる。１０２で制御モード選択部１を用いて、予熱モードまたは揚物モードの制御モードを選択し、１０３で動作開始部４により加熱を開始する。１０４で予熱モードまたは揚げ物モードのどちらのモードを選択するかにより分岐し、予熱モードを選択した場合は１０５に、揚げ物モードを選択した場合は１１６に進む。１０５に進んだ場合には、加熱モード表示は連続点灯し、予熱表示部は点滅する。尚、加熱モード表示は消灯しても良いし、予熱表示部は連続点灯しても良い。１０６に進み、加熱出力設定部６による加熱出力の変更を禁止し、１０７の第１予熱工程に進み、所定の火力で被加熱物を加熱する。１０８に進み被加熱物の底面の温度をサーミスターなどの温度検知部１６で検知し、現在の温度が所定の温度以上であった場合は１０９に進み、所定の温度以下であった場合は１０７の第１予熱工程に戻る。１０９に進み第１予熱工程を完了した場合には予熱表示部を連続点灯させ使用者に予熱により被加熱物が所定の温度になったことを知らせる。尚、加熱モード表示部を連続点灯のまま、予熱表示部を消灯しても良い。１１０に進み加熱出力設定部による加熱出力の変更を許可し、１１１の加熱出力設定部による加熱出力の変更を行った場合は１１２に進み予熱表示部を消灯し、加熱出力設定部による加熱出力の変更を行わない場合は１１４の第２予熱工程に進み、５分間だけ第１予熱工程よりも低い加熱出力で加熱し、被加熱物の温度を保温し、その後、第２予熱工程を終了し、１０１の待機モードに戻る。尚、第２予熱工程中も温度検知部１６を用いて被加熱物の温度を検知し、制御部１２を介して加熱部１１の加熱出力を調節して所定の温度に保温しても良い。１１２の予熱表示部３が消灯した場合は１１３の加熱モードに移行する。１１６の揚げ物モードに移行した場合には揚げ物モード表示部２ｂが連続点灯し、予熱表示部３は点滅する。予熱表示部３は、揚げ物モード中の予熱表示と、予熱モード中における予熱表示とを兼用する。尚、揚げ物モード表示部２ｂは点滅でも良い。１１７の第１揚げ物工程に進み、所定の火力で油の入った鍋などの被加熱物を加熱する。１１８に進み被加熱物の底面の温度をサーミスターなどの温度検知部１６で検知し、現在の温度が設定温度以上であった場合は１１９に進み、設定温度以下であった場合は１１７の第１揚げ物工程に戻る。尚、揚げ物モード中には油の設定温度をデジタル表示部１０を用いて表示しても良い。１１９に進み、予熱表示部３が消灯して、使用者に油の温度が設定温度に達したことを知らせる。１２０の第２揚げ物工程に進み、温度検知部で被加熱物の底面の温度を検知し、制御部を介して加熱部の加熱出力を調節して所定の温度に保温する。
【００２４】
なお、本発明の実施の形態においては、被加熱物を誘導加熱する誘導加熱調理器としているが、これをガスコンロ等の他の加熱調理器においても、第１加熱工程においては最大火力で被加熱物Ｐを加熱し、第２加熱工程に移行すると火力を弱め、保温状態とすることで、本発明の実施の形態と同様に、被加熱物の温度を素早く立ち上げ、その旨を使用者に表示させることにより、加熱調理器の使い勝手が向上する。
【００２５】
図に示すように、電源スイッチ１５をＯＮしたことによって待機状態にある加熱調理器を、使用者が制御モード選択手段１によって制御モードを選択し、動作開始部４によって加熱を開始することによって、本発明の加熱調理器は、制御モードが予熱モードの場合には加熱出力設定部６による火力設定変更を禁止して、被加熱物Ｐを予め決められた加熱出力で加熱する第１予熱工程を行い、加熱モード表示部２ａが点灯し、予熱表示部３が点滅する。第１予熱工程終了後は、使用者に第１予熱工程が終了した旨を報知し、保温加熱を行うとともに加熱出力設定部４による火力設定を可能とした第２予熱工程に移行し、予熱表示部３は点灯する。第２予熱工程中は使用者が加熱出力設定部６によって火力を自由に変更することができ、加熱出力設定部６によって火力変更がなされた場合は、予熱表示部３は消灯し、加熱モードに移行する。
【００２６】
制御モードが揚げ物モードの場合は、所定の温度まで油を加熱する第１揚げ物工程に移行し、揚げ物モード表示部２ｂが点灯し、予熱表示部３が点滅する。油温度が所定の温度まで達すると、使用者にその旨を報知し、所定の温度で油温を制御する第２揚げ物工程に移行し、予熱表示部３は消灯する。
【００２７】
図５（ａ）〜（ｄ）は本発明の他の実施の形態の加熱調理器の加熱モード表示部２ａと、揚げ物モード表示部２ｂと、予熱表示部３の配置を示す図であり、予熱モード表示部が加熱モード表示部および揚げ物モード表示部に隣接して配置されている。図５（ａ）〜（ｄ）のいずれの配置においても、加熱モード表示部と揚げ物モード表示部が隣接して配置されているため、制御モードがいずれのモードにあっても、使用者に表示部同士の関連性をより分かりやすく認識させることができる。
【００２８】
図６（ａ）〜（ｅ）は、本発明の他の実施の形態の加熱調理器の加熱モード表示部２ａと、揚げ物モード表示部２ｂと、予熱表示部３の配置を示す図であり、加熱モード表示部と揚げ物モード表示部を隣接して配置されている。図６（ａ）〜（ｅ）のいずれの配置においても、加熱モード表示部と揚げ物モード表示部が隣接して配置されているため、制御モードがいずれのモードにあっても、使用者に表示部同士の関連性をより分かりやすく認識させることができる。
【産業上の利用可能性】
【００２９】
以上のように、本発明にかかる加熱調理器は、使い勝手のよい加熱調理器を提供することができるので、誘導加熱調理器のみならず、ガス調理器等の用途にも適用できる。
【図面の簡単な説明】
【００３０】
【図１】本発明の実施の形態１における加熱調理器の斜視図
【図２】本発明の実施の形態１における加熱調理器の天面操作部と天面表示部の概略図
【図３】本発明の実施の形態１における加熱調理器の回路構成を示すブロック図
【図４】本発明の実施の形態１における加熱調理器の動作フローチャート
【図５】本発明の他の実施の形態における加熱モード表示部、揚げ物モード表示部、予熱表示部の配置を示す図
【図６】本発明の他の実施の形態における加熱モード表示部、揚げ物モード表示部、予熱表示部の配置を示す図
【図７】従来の加熱調理器の表示部を示す図
【符号の説明】
【００３１】
１  制御モード選択部
２  メニュー表示部
２ａ  加熱モード表示部
２ｂ  揚げ物モード表示部
２ｃ  湯沸しモード表示部
２ｄ  炊飯モード表示部
３  予熱表示部
４  動作開始部
５  加熱出力表示部
６  加熱出力設定部
７  タイマーキー
８  残時間表示部
９  カップ数表示部
１０  デジタル表示部
１１  加熱部
１２  制御部
１３ａ  天面操作部
１３ｂ  前面操作部
１４ａ  天面表示部
１４ｂ  前面表示部
１５  電源スイッチ
１６  温度検知部
１７  本体
Ｐ  被加熱物
【図１】
0004973576.tif 000002
【図２】
0004973576.tif 000003
【図３】
0004973576.tif 000004
【図４】
0004973576.tif 000005
【図５】
0004973576.tif 000006
【図６】
0004973576.tif 000007
【図７】
0004973576.tif 000008